(57)【特許請求の範囲】
【請求項１】
携帯電話と通信する通信回路と、
前記通信回路を介して前記携帯電話の着信音を表す着信音情報を含む着信通知を受信すると、前記着信音情報に基づく前記携帯電話の着信音を車両内のスピーカから出力させて通知する第１の着信通知手段と、を備え、
ハンズフリーによる通話とともに楽曲再生手段により再生される楽曲を前記車両内のスピーカから出力させる機能を有するハンズフリー装置であって、
前記携帯電話と別に設けられた前記楽曲再生手段により楽曲が再生中であるか否かを判定する楽曲再生判定手段と、
前記楽曲再生判定手段により楽曲が再生中であると判定されているときに前記着信通知を受信したか否かを判定する着信通知判定手段と、
前記着信通知判定手段により前記着信通知を受信したと判定された場合、前記携帯電話の着信音に代えてリンガ鳴動による着信音を前記車両内のスピーカから出力させる第２の着信通知手段と、を備えたことを特徴とするハンズフリー装置。
【請求項２】
前記着信通知判定手段により前記着信通知を受信したと判定された場合、前記楽曲再生手段に楽曲の再生を停止させる楽曲再生停止手段と、を備えたことを特徴とする請求項１に記載のハンズフリー装置。
【請求項３】
前記着信通知に応じて接続された回線が切断されたことを判定した場合、前記楽曲再生手段に楽曲の再生を指示する楽曲再生指示手段を備えたことを特徴とする請求項２に記載のハンズフリー装置。
【請求項４】
前記着信通知判定手段により前記着信通知を受信したと判定された場合、前記再生中の楽曲と前記着信音情報に基づく前記携帯電話の着信音とが同一のアルバムに含まれるものであるか否かを判定する第１の楽曲判定手段を備え、
前記第２の着信通知手段は、前記第１の楽曲判定手段により前記再生中の楽曲と前記着信音情報に基づく前記携帯電話の着信音とが同一のアルバムに含まれるものであると判定された場合、リンガ鳴動による着信音を前記スピーカから出力させることを特徴とする請求項１ないし３のいずれか１つに記載のハンズフリー装置。
【請求項５】
前記第１の楽曲判定手段により前記再生中の楽曲と前記着信音情報に基づく前記携帯電話の着信音とが同一のアルバムに含まれるものでないと判定された場合、前記着信通知に基づく前記携帯電話の着信音を前記スピーカから出力させる第３の着信通知手段を備えたことを特徴とする請求項４に記載のハンズフリー装置。
【請求項６】
前記着信通知判定手段により前記着信通知を受信したと判定された場合、前記再生中の楽曲と前記再生中の楽曲と前記着信音情報に基づく前記携帯電話の着信音は同一アーティストの楽曲であるか否かを判定する第２の楽曲判定手段を備え、
前記第２の着信通知手段は、前記第２の楽曲判定手段により前記再生中の楽曲と前記着信通知により指定された着信音が同一アーティストの楽曲であると判定された場合、リンガ鳴動による着信音を前記スピーカから出力させることを特徴とする請求項１ないし３のいずれか１つに記載のハンズフリー装置。
【請求項７】
前記第２の楽曲判定手段により前記再生中の楽曲と前記着信通知により指定された着信音が同一アーティストの楽曲でないと判定された場合、前記着信通知に応じた着信音を前記スピーカから出力させる第３の着信通知手段を備えたことを特徴とする請求項６に記載のハンズフリー装置。
【発明の詳細な説明】
【技術分野】
【０００１】
本発明は、携帯電話と通信する通信回路と、この通信回路を介して通話相手からの着信通知とともに携帯電話の着信音を受信すると、携帯電話の着信音をスピーカから出力させて通知する機能を有するハンズフリー装置に関する。
【背景技術】
【０００２】
現在、携帯電話と接続してハンズフリー通話を実現するハンズフリー装置が種々提案されている（例えば、特許文献１参照）。このようなハンズフリー装置の中には、携帯電話と接続しているときに、その携帯電話に着信があると、携帯電話から送信された着信音信号を受信し、その着信音信号に基づいて着信音を鳴らすようになっているものがある。
【０００３】
例えば、Ｂｌｕｅｔｏｏｔｈ（登録商標）で携帯電話と接続するハンズフリー装置の場合、着信があったときに、携帯電話からハンズフリー装置にインバンドで着信音情報を含む着信通知が送信され、ハンズフリー装置は、その送信された着信通知に含まれる着信音情報に基づく着信音をそのまま鳴らす場合がある。このようなハンズフリー装置では、携帯電話に着信があった場合に、携帯電話に設定されている着信メロディ等の着信音をスピーカから出力させることが可能である。
【０００４】
また、ハンズフリー装置には、楽曲を再生するオーディオ機能や、携帯型オーディオプレイヤを接続するためのインタフェースを備え、オーディオ機能や携帯型オーディオプレイヤ等により再生される楽曲をスピーカから出力させることができるものもある。
【特許文献１】特開２００３−４７０６６号公報
【発明の開示】
【発明が解決しようとする課題】
【０００５】
上記したように、楽曲を再生してスピーカから出力させる機能と、着信があったときに携帯電話に設定されている着信メロディ等の着信音をスピーカから出力させる機能の両方を備えたハンズフリー装置では、例えば、楽曲の再生中に着信があった場合、再生中の楽曲と携帯電話の着信メロディが同時にスピーカから出力され、着信があったことに気付きにくいといった問題が生じる。
【０００６】
本発明は上記問題に鑑みたもので、楽曲の再生中であってもより確実にユーザに着信があったことを通知できるようにすることを目的とする。
【課題を解決するための手段】
【０００７】
上記目的を達成するため、請求項１に記載の発明は、携帯電話と通信する通信回路と、通信回路を介して携帯電話の着信音を表す着信音情報を含む着信通知を受信すると、着信音情報に基づく携帯電話の着信音を車両内のスピーカから出力させて通知する第１の着信通知手段と、を備え、ハンズフリーによる通話とともに楽曲再生手段により再生される楽曲を車両内のスピーカから出力させる機能を有するハンズフリー装置であって、携帯電話と別に設けられた楽曲再生手段により楽曲が再生中であるか否かを判定する楽曲再生判定手段と、楽曲再生判定手段により楽曲が再生中であると判定されているときに着信通知を受信したか否かを判定する着信通知判定手段と、着信通知判定手段により着信通知を受信したと判定された場合、携帯電話の着信音に代えてリンガ鳴動による着信音を車両内のスピーカから出力させる第２の着信通知手段と、を備えたことを特徴としている。
【０００８】
このような構成では、携帯電話と別に設けられた楽曲再生手段により楽曲が再生中であるか否かを判定し、楽曲が再生中であると判定されているときに着信通知を受信したか否かを判定し、着信通知を受信したと判定された場合、携帯電話の着信音に代えてリンガ鳴動による着信音が車両内のスピーカから出力されるので、楽曲の再生中であってもより確実にユーザに着信があったことを通知することができる。
【０００９】
また、請求項２に記載の発明は、着信通知判定手段により着信通知を受信したと判定された場合、楽曲再生手段に楽曲の再生を停止させる楽曲再生停止手段と、を備えたことを特徴としている。
【００１０】
このような構成では、楽曲の再生中に着信通知を受信したと判定された場合、楽曲の再生が停止されるので、更に、確実にユーザに着信があったことを通知することができる。
【００１１】
また、請求項３に記載の発明は、着信通知に応じて接続された回線が切断されたことを判定した場合、楽曲再生手段に楽曲の再生を指示する楽曲再生指示手段を備えたことを特徴としている。
【００１２】
このような構成では、着信通知に応じて接続された回線が切断されたことを判定した場合、楽曲の再生が指示されるので、回線切断後に楽曲の自動再生を行うことができる。
【００１３】
また、請求項４に記載の発明は、着信通知判定手段により着信通知を受信したと判定された場合、再生中の楽曲と着信音情報に基づく携帯電話の着信音とが同一のアルバムに含まれるものであるか否かを判定する第１の楽曲判定手段を備え、第２の着信通知手段は、第１の楽曲判定手段により再生中の楽曲と着信音情報に基づく携帯電話の着信音とが同一のアルバムに含まれるものであると判定された場合、リンガ鳴動による着信音をスピーカから出力させることである。
【００１４】
携帯電話の着信音が再生中の楽曲と同一のアルバムに含まれるものに設定されている場合、携帯電話の着信音と再生中の楽曲とが似ている可能性が高いため、携帯電話の着信音により着信があったことを通知した場合に、特にユーザが着信に気付きにくいといった状況が考えられるが、このように、再生中の楽曲と着信音情報に基づく携帯電話の着信音とが同一のアルバムに含まれるものであると判定された場合、リンガ鳴動による着信音がスピーカから出力されるので、携帯電話の着信音が再生中の楽曲と同一のアルバムに含まれるものに設定されていても、より確実にユーザに着信があることを気付かせることができる。
【００１５】
また、請求項５に記載の発明は、第１の楽曲判定手段により再生中の楽曲と着信音情報に基づく携帯電話の着信音とが同一のアルバムに含まれるものでないと判定された場合、着信通知に基づく携帯電話の着信音をスピーカから出力させる第３の着信通知手段を備えたことを特徴としている。
【００１６】
再生中の楽曲と携帯電話の着信音とが同一のアルバムに含まれるものでない場合、携帯電話の着信音と再生中の楽曲とが似ている可能性が比較的低いため、このように、再生中の楽曲と携帯電話の着信音とが同一のアルバムに含まれるものでないと判定された場合には、着信通知に基づく携帯電話の着信音をスピーカから出力させても、ユーザに着信があることを気付かせることが可能である。
【００１７】
また、請求項６に記載の発明は、着信通知判定手段により着信通知を受信したと判定された場合、再生中の楽曲と再生中の楽曲と着信音情報に基づく携帯電話の着信音は同一アーティストの楽曲であるか否かを判定する第２の楽曲判定手段を備え、第２の着信通知手段は、第２の楽曲判定手段により再生中の楽曲と着信通知により指定された着信音が同一アーティストの楽曲であると判定された場合、リンガ鳴動による着信音をスピーカから出力させることを特徴としている。
【００１８】
携帯電話の着信音が再生中の楽曲と同一アーティストの楽曲に設定されている場合、携帯電話の着信音と再生中の楽曲とが似ている可能性が高いため、携帯電話の着信音により着信があったことを通知した場合に、特にユーザが着信に気付きにくいといった状況が考えられるが、このように、再生中の楽曲と着信音情報に基づく携帯電話の着信音とが同一アーティストの楽曲であると判定された場合、リンガ鳴動による着信音がスピーカから出力されるので、携帯電話の着信音が再生中の楽曲と同一アーティストの楽曲に設定されていても、より確実にユーザに着信があることを気付かせることができる。
【００１９】
また、請求項７に記載の発明は、第２の楽曲判定手段により再生中の楽曲と着信通知により指定された着信音が同一アーティストの楽曲でないと判定された場合、着信通知に応じた着信音をスピーカから出力させることを特徴としている。
【００２０】
再生中の楽曲と携帯電話の着信音とが同一アーティストの楽曲でない場合、携帯電話の着信音と再生中の楽曲とが似ている可能性が比較的低いため、このように、再生中の楽曲と携帯電話の着信音とが同一アーティストの楽曲でないと判定された場合には、着信通知に基づく携帯電話の着信音をスピーカから出力させても、ユーザに着信があることを気付かせることが可能である。
【発明を実施するための最良の形態】
【００２１】
（第１実施形態）
本発明の第１実施形態に係るハンズフリー装置の構成を図１に示す。本ハンズフリー装置１は、ハンズフリーによる通話を行うための装置であり、車両内に搭載されたナビゲーション装置の一部として構成されている。本ハンズフリー装置１は、音声回路１１、スピーカ１２、マイク１３、操作部１４、メモリ１５、Ｂｌｕｅｔｏｏｔｈ通信部１６、Ｂｌｕｅｔｏｏｔｈ用アンテナ１７および演算処理部１８を有している。
【００２２】
音声回路１１は、演算処理部１８から出力されたデジタル音声データをアナログデータに変換し、さらに増幅等のアナログ処理を行い、その結果の信号をスピーカ１２に出力する。また音声回路１１は、マイク１３から入力された音声信号に対して増幅等の所定のアナログ処理を行い、その結果の信号をデジタル変換し、その変換の結果のデジタルデータを演算処理部１８に出力する。
【００２３】
操作部１４は、メカニカルスイッチ等の、ユーザが操作可能な装置を有し、これに対するユーザの操作に基づいた信号を演算処理部１８に出力する。
【００２４】
メモリ１５は、フラッシュメモリ等の不揮発性の記憶媒体、または、バックアップ電源からの電力供給を受けて常時データを記憶している揮発性記憶媒体である。
【００２５】
Ｂｌｕｅｔｏｏｔｈ通信部１６は、携帯電話機２、オーディオプレイヤ３等の外部機器と接続するための回路である。Ｂｌｕｅｔｏｏｔｈ通信部１６は、Ｂｌｕｅｔｏｏｔｈ用アンテナ１７から受けた信号に対して、Ｂｌｕｅｔｏｏｔｈの規格に従った所定の周波数変換、復調、増幅、Ａ／Ｄ変換等を行い、その結果のデータを演算処理部１８に出力し、また演算処理部１８から受けたデータに対して、Ｂｌｕｅｔｏｏｔｈの規格に従った所定のＤ／Ａ変換、増幅、変調、周波数変換等を行い、その結果のデータをＢｌｕｅｔｏｏｔｈ用アンテナ１７に出力する。
【００２６】
なお、本実施形態におけるＢｌｕｅｔｏｏｔｈ通信部１６は、複数の外部機器、例えば、携帯電話機２とオーディオプレイヤ３を同時に接続できるようになっている。
【００２７】
演算処理部１８は、ＣＰＵ１８１、ＲＡＭ１８２、およびマスクＲＯＭ１８３を有している。ＣＰＵ１８１は、マスクＲＯＭ１８３から作動のためのプログラムを読み出して実行し、その実行の際にはＲＡＭ１８２、メモリ１５にデータを書き込み、またＲＡＭ１８２、マスクＲＯＭ１８３、メモリ１５からデータを読み出す。またＣＰＵ１８１は、その作動において、音声回路１１、操作部１４およびＢｌｕｅｔｏｏｔｈ通信部１６から信号の入力を受け、また必要に応じて音声回路１１およびＢｌｕｅｔｏｏｔｈ通信部１６に信号を出力する。
【００２８】
携帯電話機２は、電話通信用の携帯無線通信回路、各種操作を行うための操作部、ディスプレイ、マイク、スピーカ、各種演算処理を行う演算処理部、Ｂｌｕｅｔｏｏｔｈによる接続を行うためのＢｌｕｅｔｏｏｔｈ通信部等（いずれも図示せず）を有している。また、演算処理部は、ＣＰＵ、プログラムや楽曲等を記憶するメモリ等を備えている。
【００２９】
携帯電話機２の演算処理部の処理には、通話のための各種処理、ユーザによる操作部の操作に応じて各種楽曲をメモリに記憶させる処理、ユーザによる操作部の操作に応じて着信時に鳴らす着信メロディ等の着信音を設定する処理等がある。
【００３０】
また、携帯電話機２の演算処理部は、ハンズフリー装置１とＢｌｕｅｔｏｏｔｈにより接続された状態で、相手からの着信があると、携帯電話の着信音を表す着信音情報を含む着信通知をハンズフリー装置１へ送信するようになっている。なお、着信音情報には、着信音の再生データ、収録されているアルバム名、アーティスト名等の情報が含まれる。
【００３１】
オーディオプレイヤ３は、各種操作を行うための操作部、ディスプレイ、スピーカ、各種演算処理を行う演算処理部、Ｂｌｕｅｔｏｏｔｈによる接続を行うためのＢｌｕｅｔｏｏｔｈ通信部等（いずれも図示せず）を有している。演算処理部は、ＣＰＵ、プログラムや楽曲等を記憶するメモリ等を備えている。
【００３２】
オーディオプレイヤ３の演算処理部は、ユーザによる操作部の操作に応じて楽曲の選曲、再生、停止等を行う。
【００３３】
ハンズフリー装置１とオーディオプレイヤ３との間のＢｌｕｅｔｏｏｔｈリンクが確立した状態で、オーディオプレイヤ３にて楽曲が再生されると、ハンズフリー装置１の演算処理部１８は、オーディオプレイヤ３により再生される楽曲をスピーカ１２より出力される楽曲再生処理を行うようになっている。また、ハンズフリー装置１とオーディオプレイヤ３との間のＢｌｕｅｔｏｏｔｈリンクが確立した状態で、ハンズフリー装置１から楽曲の再生または停止が指示されると、オーディオプレイヤ３は、楽曲の再生または停止を行うようになっている。
【００３４】
また、本実施形態におけるハンズフリー装置１の演算処理部１８は、着信があったときに、携帯電話から送信される着信通知に含まれる着信音情報に基づく着信音をそのまま鳴らすモード（インバンドモード）と、リンガ鳴動による着信音を鳴らすモードとを有している。なお、演算処理部１８は、リンガ鳴動による着信音を鳴らすモードの設定時には、スピーカ１２にリンガ鳴動信号を与えてリンガ鳴動による着信音を鳴らすようになっている。
【００３５】
ユーザ操作によりいずれかのモードが選択されると、選択されたモードを表すフラグがメモリ１５に記憶されるようになっている。
【００３６】
図２に、ハンズフリー装置１が携帯電話機２およびオーディオプレイヤ３とそれぞれＢｌｕｅｔｏｏｔｈによって接続された後、オーディオプレイヤ３とハンズフリー装置１との間で楽曲再生のための処理を実施し、楽曲再生中に携帯電話機２よりインバンドモードでの着信通知があると、楽曲の再生を停止させるとともにハンズフリー装置１からリンガ鳴動による着信音の通知を行い、終話後に楽曲の再生を再開させるまでの作動を時系列的に示したシーケンス図である。
【００３７】
図３は、この作動のためにハンズフリー装置１の演算処理部１８が実行する処理を示すフローチャートである。
【００３８】
以下、図３に従って、ハンズフリー装置１の演算処理部１８の処理について説明する。なお、演算処理部１８と携帯電話機２との間および演算処理部１８とオーディオプレイヤ３との間でそれぞれＢｌｕｅｔｏｏｔｈリンクが確立しているものとする。
【００３９】
演算処理部１８は、まず、着信を検出したか否かを判定する（Ｓ１００）。具体的には、携帯電話機２に着信があり、携帯電話機２から着信通知を受信したか否かに基づいて着信を検出したか否かを判定する。
【００４０】
携帯電話機２から着信通知を受信しない場合、Ｓ１００の判定はＮＯとなり、Ｓ１００の判定を繰り返す。
【００４１】
そして、携帯電話機２から着信通知を受信すると、Ｓ１００の判定はＹＥＳとなり、次に、携帯電話機２からの着信通知がインバンドモードに設定された状態での着信通知であるか否かを判定する（Ｓ１０２）。具体的には、メモリ１５に記憶されたモードを表すフラグに基づいてインバンドモードに設定された状態での着信通知であるか否かを判定する。
【００４２】
ここで、図２に示すように、携帯電話機２からの着信通知がインバンドモードでの着信通知５１である場合、Ｓ１０２の判定はＹＥＳとなり、次に、楽曲再生中か否かを判定する（Ｓ１０４）。
【００４３】
ここで、楽曲再生中でないと判定（Ｓ１０４でＮＯと判定）された場合、インバンドモードによる着信通知を行う（Ｓ１０６）。具体的には、着信通知に含まれる着信音情報に基づく着信メロディ等の着信音で通知を行う。
【００４４】
このように、携帯電話機２からの着信通知がインバンドモードでの着信通知で、かつ、楽曲再生中でない場合には、着信メロディ等の着信音による通知を行うようになっている。
【００４５】
また、着信応答を携帯電話機２に送信し、ユーザによりオフフック操作がなされると、着信音による通知を停止させ、回線が接続されると通話が可能な状態となる。
【００４６】
次に、通話後終話されたかを判定する（Ｓ１０８）。具体的には、通話後、ユーザまたは通話相手側のオンフック操作に応じて回線が切断されたかを判定する。
【００４７】
ここで、回線が切断されない場合、Ｓ１０８の判定はＮＯとなり、Ｓ１０８の判定を繰り返す。
【００４８】
また、回線が切断されると、Ｓ１０８の判定はＹＥＳとなり、携帯電話機２に終話したことを通知し、本処理を終了する。
【００４９】
また、図２に示すように、携帯電話機２からインバンドモードでの着信通知を受信し、楽曲再生中であると判定（Ｓ１０４でＹＥＳと判定）された場合、次に、楽曲の再生を停止させる（Ｓ１１０）。具体的には、図２に示すように、オーディオプレイヤ３に楽曲の再生を停止させる再生中断指示５２を送出する。
【００５０】
次に、楽曲情報を取得する（Ｓ１１２）。具体的には、オーディオプレイヤ３から再生中の楽曲を収録したアルバム名、アーティスト名等の楽曲情報を取得するとともに、着信通知に含まれる着信音を収録したアルバム名、アーティスト名等の楽曲情報を取得する。
【００５１】
次に、再生中の楽曲と着信通知に含まれる着信音とが同一のアルバムに含まれるものであるか否かを判定する（Ｓ１１４）。
【００５２】
再生中の楽曲と着信通知に含まれる着信音とが同一のアルバムに含まれるものである場合、Ｓ１１４の判定はＹＥＳとなり、内蔵リンガによる着信通知を行う（Ｓ１１６）。具体的には、スピーカ１２にリンガ鳴動信号を与えて、例えば、「リーン、リーン」、「プルルルル」といったリンガ鳴動による通知を行う。この処理は、図２における内蔵リンガ鳴動５３に相当する。
【００５３】
このように、携帯電話機２からの着信通知がインバンドモードでの着信通知で、かつ、楽曲再生中で、かつ、再生中の楽曲と着信通知に含まれる着信音とが同一のアルバムに含まれるものである場合、携帯電話機２の着信音に代えてリンガ鳴動による通知を行うようになっている。
【００５４】
また、演算処理部１８は、図２に示す着信応答５４を携帯電話機２に送信し、ユーザによりオフフック操作がなされると、リンガ鳴動を停止させ、回線が接続されると通話が可能な状態となる。この処理は、図２におけるリンガ停止５５に相当する。
【００５５】
次に、通話後終話されたかを判定する（Ｓ１２０）。具体的には、通話後、ユーザまたは通話相手側のオンフック操作に応じて回線が切断されたかを判定する。
【００５６】
ここで、回線が切断されない場合、Ｓ１２０判定はＮＯとなり、Ｓ１２０の判定を繰り返す。
【００５７】
また、回線が切断されると、Ｓ１２０判定はＹＥＳとなり、図２に示すような携帯電話機２に終話したことを通知するための終話通知５６を送出し、次に、オーディオプレイヤ３に停止中の楽曲を自動再生させる（Ｓ１２２）。具体的には、図２に示すようなオーディオプレイヤ３に楽曲の再生を再開させる再生開始指示５７を送出し、本処理を終了する。これにより、オーディオプレイヤ３による楽曲の再生が再開され、ハンズフリー装置１のスピーカ１２から楽曲が再生されるようになる。
【００５８】
一方、再生中の楽曲と着信通知に含まれる着信音とが同一のアルバムに含まれるものでない場合には、Ｓ１１４の判定はＮＯとなり、インバンドモードによる着信通知を行う（Ｓ１１８）。すなわち、着信通知に含まれる着信音情報に基づく着信メロディ等の着信音で通知を行う。
【００５９】
このように、携帯電話機２からの着信通知がインバンドモードでの着信通知で、かつ、楽曲再生中で、かつ、再生中の楽曲と着信通知に含まれる着信音とが同一のアルバムに含まれるものでない場合、着信メロディ等の着信音で通知を行うようになっている。
【００６０】
また、携帯電話機２からの着信通知がインバンドモードでの着信通知でない場合、Ｓ１０２の判定はＮＯとなり、Ｓ１１６へ進み、内蔵リンガによる通知が行われる。
【００６１】
上記した構成によれば、楽曲の再生中に着信通知を受信したと判定され、かつ、再生中の楽曲と着信音情報に基づく携帯電話の着信音とが同一のアルバムに含まれるものであると判定された場合、携帯電話の着信音に代えてリンガ鳴動による着信音がスピーカから出力される。携帯電話の着信音が再生中の楽曲と同一のアルバムに含まれるものに設定されている場合、携帯電話の着信音と再生中の楽曲とが似ている可能性が高いため、特にユーザが着信に気付きにくいといった状況が考えられるが、携帯電話の着信音に代えてリンガ鳴動による着信音がスピーカから出力されるので、楽曲の再生中であってもより確実にユーザに着信があったことを通知することができる。
【００６２】
また、楽曲の再生中に着信通知を受信したと判定された場合、楽曲の再生が停止されるので、更に、確実にユーザに着信があったことを通知することができる。
【００６３】
また、着信通知に応じて接続された回線が切断されたことを判定した場合、楽曲の再生が指示されるので、回線切断後に楽曲の自動再生を行うことができる。
【００６４】
また、再生中の楽曲と携帯電話の着信音とが同一のアルバムに含まれるものでない場合、携帯電話の着信音と再生中の楽曲とが似ている可能性が比較的低いため、このように、再生中の楽曲と携帯電話の着信音とが同一のアルバムに含まれるものでないと判定された場合には、着信通知に基づく携帯電話の着信音をスピーカから出力させても、ユーザに着信があることを気付かせることが可能である。
【００６５】
本実施形態では、図３のＳ１１２にて楽曲情報を取得し、Ｓ１１４にて再生中の楽曲と着信音が同一アルバムに含まれるものであるか否かを判定し、再生中の楽曲と着信音が同一アルバムに含まれるものであると判定された場合には内蔵リンガによる着信通知を行い、再生中の楽曲と着信音が同一アルバムに含まれるものでないと判定された場合には携帯電話機２の着信音による通知を行う例を示したが、Ｓ１１２、Ｓ１１４の処理を省略して、楽曲再生中にインバンドモードによる着信通知を受信した場合には、携帯電話機２の着信音に代えて、内蔵リンガによる通知を行うようにしてもよい。
【００６６】
このような構成により、楽曲の再生中に着信通知を受信した場合、携帯電話の着信音に代えてリンガ鳴動による着信音がスピーカから出力されるので、楽曲の再生中であってもより確実にユーザに着信があったことを通知することができる。
【００６７】
（第２実施形態）
本発明の第２実施形態に係るハンズフリー装置１、携帯電話機２、オーディオプレイヤ３の構成は、第１実施形態と同じである。図４に、本実施形態に係るハンズフリー装置１の演算処理部１８が実行する処理のフローチャートを示す。図４に示す処理は、図３に示した処理と比較して、図３のＳ１１４に対応するステップのみが異なる。すなわち、上記第１実施形態では、図３のＳ１１４において、再生中の楽曲と着信通知に含まれる着信音とが同一のアルバムに含まれるものであるか否かを判定する例を示したが、本実施形態では、図４のＳ２１４に示すように、再生中の楽曲と着信通知に含まれる着信音とが同一アーティストの楽曲であるか否かを判定する。
【００６８】
すなわち、携帯電話機２からの着信通知がインバンドモードでの着信通知で、かつ、楽曲再生中で、かつ、再生中の楽曲と着信通知に含まれる着信音とが同一アーティストの楽曲である場合、Ｓ２１４の判定はＹＥＳとなり、リンガ鳴動による通知を行う（Ｓ１１６）。
【００６９】
また、携帯電話機２からの着信通知がインバンドモードでの着信通知で、かつ、楽曲再生中で、かつ、再生中の楽曲と着信通知に含まれる着信音とが同一アーティストの楽曲でない場合、Ｓ２１４の判定はＮＯとなり、着信メロディ等の着信音で通知を行う（Ｓ１１８）。
【００７０】
携帯電話の着信音が再生中の楽曲と同一アーティストの楽曲に設定されている場合、携帯電話の着信音と再生中の楽曲とが似ている可能性が高いため、携帯電話の着信音により着信があったことを通知した場合に、特にユーザが着信に気付きにくいといった状況が考えられるが、上記したように、再生中の楽曲と着信音情報に基づく携帯電話の着信音とが同一アーティストの楽曲であると判定された場合、リンガ鳴動による着信音がスピーカから出力されるので、携帯電話の着信音が再生中の楽曲と同一アーティストの楽曲に設定されていても、より確実にユーザに着信があることを気付かせることができる。
【００７１】
また、再生中の楽曲と携帯電話の着信音とが同一アーティストの楽曲でない場合、携帯電話の着信音と再生中の楽曲とが似ている可能性が比較的低いため、このように、再生中の楽曲と携帯電話の着信音とが同一アーティストの楽曲でないと判定された場合には、着信通知に基づく携帯電話の着信音をスピーカから出力させても、ユーザに着信があることを気付かせることが可能である。
【００７２】
本実施形態では、図４のＳ１１２にて楽曲情報を取得し、Ｓ２１４にて再生中の楽曲と着信音が同一ティストの楽曲であるか否かを判定し、再生中の楽曲と着信音が同一アーティストの楽曲であると判定された場合には内蔵リンガによる通知を行い、再生中の楽曲と着信音が同一アーティストの楽曲でないと判定された場合には携帯電話機２の着信音による通知を行う例を示したが、Ｓ１１２、Ｓ２１４の処理を省略して、楽曲再生中にインバンドモードによる着信通知を受信した場合には、携帯電話機２の着信音に代えて、内蔵リンガによる通知を行うようにしてもよい。
【００７３】
このような構成により、楽曲の再生中に着信通知を受信した場合、携帯電話の着信音に代えてリンガ鳴動による着信音がスピーカから出力されるので、楽曲の再生中であってもより確実にユーザに着信があったことを通知することができる。
【００７４】
（その他の実施形態）
上記実施形態では、車両内に搭載されたナビゲーション装置の一部としてハンズフリー装置１を構成した例を示したが、例えば、ナビゲーション装置を用いることなく、ハンズフリー装置１を構成してもよい。
【００７５】
また、上記実施形態では、オーディオプレイヤ３とＢｌｕｅｔｏｏｔｈ通信部１６を介して接続する例を示したが、このような接続方法に限られるものではなく、例えば、外部入力端子を介してケーブル接続する構成としてもよい。
【００７６】
また、上記実施形態では、オーディオプレイヤ３を用いて再生された楽曲をスピーカ１２から出力させる構成例を示したが、このような例に限定されるものではなく、例えば、ナビゲーション装置に内蔵されているオーディオプレイヤ機能により再生させる楽曲をスピーカ１２から出力させる構成としてもよく、また、ＣＤデッキ、ＤＶＤデッキ等のオーディオ装置により再生される楽曲をスピーカ１２から出力させる構成としてもよい。
【００７７】
なお、上記実施形態における構成と特許請求の範囲の構成との対応関係について説明すると、Ｂｌｕｅｔｏｏｔｈ通信部１６が通信回路に相当し、Ｓ１０６が第１の着信通知手段に相当し、Ｓ１００、Ｓ１０４が着信通知判定手段に相当し、Ｓ１１６が第２の着信通知手段に相当し、Ｓ１１０が楽曲再生停止手段に相当し、Ｓ１２２が楽曲再生指示手段に相当し、Ｓ１１４が第１の楽曲判定手段に相当し、Ｓ１１８が第３の着信通知手段に相当し、Ｓ２１４第２の楽曲判定手段に相当する。
【図面の簡単な説明】
【００７８】
【図１】本発明の第１、第２実施形態に係るハンズフリー装置の構成を図である。
【図２】ハンズフリー装置、携帯電話機およびオーディオプレイヤの接続等の作動を時系列的に示したシーケンス図である。
【図３】第１実施形態に係るハンズフリー装置の演算処理部の処理を示すフローチャートである。
【図４】第２実施形態に係るハンズフリー装置の演算処理部の処理を示すフローチャートである。
【符号の説明】
【００７９】
１…ハンズフリー装置、２…携帯電話機、３…オーディオプレイヤ、
１１…音声回路、１２…スピーカ、１３…マイク、１４…操作部、１５…メモリ、
１６…Ｂｌｕｅｔｏｏｔｈ通信部、１７…Ｂｌｕｅｔｏｏｔｈ用アンテナ、
１８…演算処理部、１８１…ＣＰＵ、１８２…ＲＡＭ、１８３…マスクＲＯＭ。 
【図１】
0005082809.tif 000002
【図２】
0005082809.tif 000003
【図３】
0005082809.tif 000004
【図４】
0005082809.tif 000005